(57)【要約】【課題】電気機器等の消費電力を計測するのに好適な電力計測装置等を提供する。【解決手段】本発明に係る電力計測装置１は、測定対象である電源線の１線を当該電力計測装置１のグランド電位とし、当該電力計測装置に電力を供給する非絶縁電源供給回路３と、グランド電位とグランドを除く電源線間の電圧を抵抗分圧する電圧測定回路４と、電力計測結果を出力する通信ドライバ９と、通信ドライバ９を電力線から絶縁するフォトカプラ８と、を備え、通信ドライバ９の電源を当該通信ドライバ９が接続される表示装置２が備える電源部１０から供給する。【選択図】図１
2011089915.tif 000002
【特許請求の範囲】
【請求項１】
電源線の１線をグランド電位とし、当該１線を除く他線が入力端に接続され、当該電源線から電源電圧の供給を受ける非絶縁電源供給回路と、
前記電源線の他線が入力端に接続され、当該電源線の電圧値を測定する電圧測定回路と、
前記電源線の他線の電流を検出し、当該電源線の電流値を測定する電流測定回路と、
前記非絶縁電源供給回路から作動用の電源電圧が供給され、前記電圧測定回路の出力端と前記電流測定回路の出力端とが入力端に接続され、前記電圧値及び／又は前記電流値のアナログ値をディジタル値に変換するＡ／Ｄ変換部と、
前記非絶縁電源供給回路から作動用の電源電圧が供給され、前記Ａ／Ｄ変換部の出力端が入力端に接続され、前記ディジタル値に基づいて計測値を演算する演算部と、
前記非絶縁電源供給回路が１次側に接続され、外部電源が２次側に接続され、前記演算部の出力端を、前記電源線から絶縁する絶縁回路と、を備える、
ことを特徴とする電力計測装置。
【請求項２】
前記電圧測定回路は、前記測定された電圧値を分圧し、当該分圧された分圧電圧値を、前記Ａ／Ｄ変換部に出力する、
ことを特徴とする請求項１に記載の電力計測装置。
【請求項３】
前記絶縁回路は、フォトカプラ、容量素子、及び／又は、トランスを備える、
ことを特徴とする請求項１又は２に記載の電力計測装置。
【請求項４】
前記電流測定回路は、カレントトランス、シャント抵抗、及び／又は、磁界センサを備える、
ことを特徴とする請求項１乃至３のいずれか１項に記載の電力計測装置。
【請求項５】
前記電源線は、単相三線式、三相四線式、三相三線式、又は、単相二線式からなる、
ことを特徴とする請求項１乃至４のいずれか１項に記載の電力計測装置。
【請求項６】
前記外部電源から作動用の電源電圧が供給され、前記絶縁回路の出力端が入力端に接続され、前記演算された計測値を送信する通信部と、
前記外部電源から作動用の電源電圧が供給され、前記送信された計測値を受信して、当該計測値を表示する表示部と、をさらに備え、
前記通信部は、前記絶縁回路により前記電源線から絶縁される、
ことを特徴とする請求項１乃至５のいずれか１項に記載の電力計測装置。
【請求項７】
非絶縁電源供給回路と、電圧測定回路と、電流測定回路と、Ａ／Ｄ変換部と、演算部と、絶縁回路と、を備える電力計測装置にて実行される電力計測方法であって、
前記非絶縁電源供給回路が、電源線の１線をグランド電位とし、当該１線を除く他線が入力端に接続され、当該電源線から電源電圧の供給を受ける非絶縁電源供給工程と、
前記電圧測定回路が、前記電源線の他線が入力端に接続され、当該電源線の電圧値を測定する電圧測定工程と、
前記電流測定回路が、前記電源線の他線の電流を検出し、当該電源線の電流値を測定する電流測定工程と、
前記Ａ／Ｄ変換部が、前記非絶縁電源供給回路から作動用の電源電圧が供給され、前記電圧測定回路の出力端と前記電流測定回路の出力端とが入力端に接続され、前記電圧値及び／又は前記電流値のアナログ値をディジタル値に変換するＡ／Ｄ変換工程と、
前記演算部が、前記非絶縁電源供給回路から作動用の電源電圧が供給され、前記Ａ／Ｄ変換部の出力端が入力端に接続され、前記ディジタル値に基づいて計測値を演算する演算工程と、
前記絶縁回路が、前記非絶縁電源供給回路が１次側に接続され、外部電源が２次側に接続され、前記演算部の出力端を、前記電源線から絶縁する絶縁工程と、を備える、
ことを特徴とする電力計測方法。
【発明の詳細な説明】
【技術分野】
【０００１】
本発明は、電気機器等の消費電力を計測するのに好適な電力計測装置、及び、電力計測方法に関する。
【背景技術】
【０００２】
電力計測装置をＡＣ（Alternating Current）電源から絶縁するために、当該装置の動作電源に電源トランスを使った絶縁電源を用い、電源電圧を測定しやすい小電圧に変換する電圧測定回路に電圧トランスを用いた電力計測装置が知られている。しかし、絶縁電源や電圧トランスは、サイズが大きく、高価であるため、電力計測装置は一般に大型、高コストとなっていた。また、電圧測定回路を抵抗分圧回路等の非絶縁回路で構成する場合、非絶縁回路部の電源を、電力計測装置が持つ絶縁電源と別に用意する必要があった。
【０００３】
そこで、特許文献１には、多相電力計測を簡易化する技術として、計測に使用する電圧トランスを無くし、電力を測定する負荷装置の電源回路から検出した電圧値により、電力を計算する技術が開示されている。
【先行技術文献】
【特許文献】
【０００４】
【特許文献１】特開２００１−３５９２９７号公報
【発明の概要】
【発明が解決しようとする課題】
【０００５】
しかしながら、特許文献１に開示されている構成では、電源回路から検出した電圧値により電圧を測定する場合、電力計測装置の測定精度や回路構成が、負荷装置に依存するという問題ある。そこで、電気機器等の消費電力を計測するのに好適な新たな手法が求められている。
【０００６】
本発明は、上記問題点に鑑みてなされたものであり、電気機器等の消費電力を計測するのに好適な電力計測装置、及び、電力計測方法を提供することを目的とする。
【課題を解決するための手段】
【０００７】
上記目的を達成するため、本発明の電力計測装置は、
電源線の１線をグランド電位とし、当該１線を除く他線が入力端に接続され、当該電源線から電源電圧の供給を受ける非絶縁電源供給回路と、
前記電源線の他線が入力端に接続され、当該電源線の電圧値を測定する電圧測定回路と、
前記電源線の他線の電流を検出し、当該電源線の電流値を測定する電流測定回路と、
前記非絶縁電源供給回路から作動用の電源電圧が供給され、前記電圧測定回路の出力端と前記電流測定回路の出力端とが入力端に接続され、前記電圧値及び／又は前記電流値のアナログ値をディジタル値に変換するＡ／Ｄ変換部と、
前記非絶縁電源供給回路から作動用の電源電圧が供給され、前記Ａ／Ｄ変換部の出力端が入力端に接続され、前記ディジタル値に基づいて計測値を演算する演算部と、
前記非絶縁電源供給回路が１次側に接続され、外部電源が２次側に接続され、前記演算部の出力端を、前記電源線から絶縁する絶縁回路と、を備える、ことを特徴とする。
【発明の効果】
【０００８】
本発明によれば、電気機器等の消費電力を計測することができる。また、電力計測装置を小型化、低コスト化することができる。
【図面の簡単な説明】
【０００９】
【図１】実施形態１に係る電力計測装置の構成を示す図である。
【図２】電力計測装置の動作を説明するためのフローチャートである。
【図３】実施形態２に係る電力計測装置の構成を示す図である。
【図４】電力計測装置が空調機に組み込まれた例を示す図である。
【図５】電力計測装置がＩＨクッキングヒータに組み込まれた例を示す図である。
【図６】電力計測装置が給湯器に組み込まれた例を示す図である。
【図７】電力計測装置が冷蔵庫に組み込まれた例を示す図である。
【図８】電力計測装置が太陽光発電機に組み込まれた例を示す図である。
【発明を実施するための形態】
【００１０】
以下に本発明の実施形態を説明する。以下に記載する実施形態は説明のためのものであり、本願発明の範囲を制限するものではない。したがって、当業者であればこれらの各要素または全要素をこれと均等なものに置換した実施形態を採用することが可能であるが、これらの実施形態も本発明の範囲に含まれる。
【００１１】
（実施形態１）
図１は、本発明の実施の形態に係る電力計測装置の構成を示す図である。本実施形態では、同図に示すように、電力計測が行われる電力計測装置１と、計測された結果が表示される表示装置２と、が分離された構成となっている。
【００１２】
（電力計測装置の構成）
電力計測装置１は、非絶縁電源供給回路３、電圧測定回路４、電流測定回路５、Ａ／Ｄ（Analog to Digital）変換部６、演算部７、フォトカプラ８、通信ドライバ９等から構成される。また、表示装置２は、電源部１０、通信部１１、制御部１２、表示部１３等から構成される。
【００１３】
電力計測装置１は、例えば、単相三線式電源１４の電力を計測する。電力計測装置１のグランドは、単相三線式電源１４における中性線１５に接続される。単相三線式電源１４における外線の１線は、後述する非絶縁電源供給回路３に接続される。また、単相三線式電源１４の中性線１５を除く２線は、後述する電圧測定回路４に接続される。また、単相三線式電源１４の中性線１５を除く２線は、カレントトランス１６を介して、後述する電流測定回路５と電磁結合している。
【００１４】
表示装置２は、電力計測装置１と接続され、電力計測装置１が計測した結果を受信して、当該結果を表示する。表示装置２は、単相三線式電源１４における中性線１５と外線の１線とに接続される。
【００１５】
非絶縁電源供給回路３は、例えば、コンバータやスイッチング制御回路を備え、電力計測装置１を作動させる作動用の電源電圧を作る。非絶縁電源供給回路３の入力は、外線の１線に接続され、非絶縁電源供給回路３の出力は、Ａ／Ｄ変換部６、演算部７及びフォトカプラ８の１次側へ接続される。非絶縁電源供給回路３に作成された電源電圧が、Ａ／Ｄ変換部６、演算部７及びフォトカプラ８の作動用の電源電圧として供給される。
【００１６】
電圧測定回路４は、例えば、抵抗分圧回路を備え、電源線から印加される電圧を測定し、当該電圧をアナログ入力に適したレベルへ変換（分圧）する。電圧測定回路４は、単相三線式電源１４の中性線１５を除く２線へ接続される。各電源線と中性線１５に接続された電力計測装置１のグランド間の各電圧は、電圧測定回路４で分圧されて、当該分圧された電圧が、Ａ／Ｄ変換部６のアナログ入力に入力される。
【００１７】
なお、電圧測定回路４が備える分圧回路の出力には、電流測定回路５のインピーダンスのバラつきや変動による分圧比の変化を防ぐため、オペアンプ等の高入力インピーダンスの素子を挿入してもよい。
【００１８】
電流測定回路５は、例えば、負荷抵抗を備え、カレントトランス１６の電流を測定し、当該電流をアナログ入力に適した電圧へ変換する。電流測定回路５は、単相三線式電源１４の中性線１５を除く２線へカレントトランス１６で電磁結合している。カレントトランス１６により計測された２線の電流計測値は、電流測定回路５で電流に比例する電圧に変換され、当該電圧がＡ／Ｄ変換部６のアナログ入力に入力される。電流測定回路５によりスケーリングされた電流値は、Ａ／Ｄ変換部６に入力され、ディジタル値へ変換される。
【００１９】
なお、レベルを調整するため、電流測定回路５にオペアンプ等の増幅素子や分圧素子を挿入してもよい。
【００２０】
Ａ／Ｄ変換部６は、例えば、積分回路を備え、入力されるアナログ値をディジタル値に変換して出力する。電圧測定回路４及び電流測定回路５から出力されるアナログ値は、Ａ／Ｄ変換部６においてディジタル値に変換され、当該ディジタル値は演算部７へ出力される。
【００２１】
演算部７は、Ａ／Ｄ変換部６から入力される電流計測結果と電圧計測結果のディジタル値を用いて、相電圧、相電流、相電力、全電力等の計算を行う。演算部７から出力される計算値は、フォトカプラ８へ入力される。
【００２２】
フォトカプラ８は、例えば、発光素子や受光素子を備え、入力される電気信号を光に変換し、当該光で受光素子を導通させることにより信号を伝達する。フォトカプラ８は、その構造上、入力端と出力端とが電気的に絶縁されるため、演算部７の出力は、後述する通信ドライバ９と絶縁される。フォトカプラ８の２次側の電圧は、後述する電源部１０から供給されているため、表示装置２と同一のＤＣ（Direct Current）電圧となる。
【００２３】
なお、非絶縁電源供給回路３、電圧測定回路４、Ａ／Ｄ変換部６、及び、演算部７は、すべて１次側のグランドに接続されている。
【００２４】
通信ドライバ９は、コネクタ等のインターフェースと通信線を介して、表示装置２と接続される。電力計測装置１の計測データは、通信ドライバ９を介して、表示装置２へ送信される。
【００２５】
電源部１０は、ＡＣ１００Ｖから表示装置２を動作させるＤＣ電源を作る電源回路である。電源部１０は、コネクタ等のインターフェースと電源線を介して、電力計測装置１へ接続され、フォトカプラ８の２次側と通信ドライバ９とへ電源を供給する。また、電源部１０は、通信部１１、制御部１２及び表示部１３へ電源を供給する。電源部１０は、単相三線式電源１４における中性線１５と外線の１線とに接続される。
【００２６】
通信部１１は、コネクタ等のインターフェースと通信線を介して、電力計測装置１が備える通信ドライバ９と接続される。電力計測装置１が計測した計測データは、通信部１１を介して受信され、当該受信データは、制御部１２に渡される。
【００２７】
制御部１２は、例えば、ＣＰＵ（Central Processing Unit）を備え、通信部１１を介して電力計測装置１から受信した計測データを表示部１３へ出力する。
【００２８】
なお、制御部１２は、単相三線式電源１４に接続された電気機器を制御する機能を備え、電力計測装置１の計測データに基づいて、当該電気機器の動作を制御する機能を備えてもよい。また、制御部１２は、電力計測装置１の設定や制御を行う機能を備えてもよい。
【００２９】
表示部１３は、例えば、液晶パネルを備え、制御部１２からの制御により、電力計測装置１の計測データを表示する。
【００３０】
（電力計測装置の動作）
次に、本実施形態に係る電力計測装置１の動作について、図面を参照して説明する。図２は、電力計測装置１の動作を示すフローチャートである。
【００３１】
ここで、電力計測装置１は、図１に示すように、計測対象であるＡＣ電源線の１線を電力計測装置１のグランド電位とする。また、電力計測装置１は、電力計測結果を出力する通信ドライバ９をＡＣ電源から絶縁するフォトカプラ８を備える。通信ドライバ９の電源は、インターフェースが接続される表示装置２が備える電源部１０から外部供給される。
【００３２】
まず、電圧測定回路４は、各電源線と中性線１５に接続された電力計測装置１のグランド間の各電圧を、抵抗分圧回路等により、Ａ／Ｄ変換部６のアナログ入力に適したレベルへ変換（分圧）する（ステップＳ１０１）。
【００３３】
なお、分圧回路の出力には、電流測定回路５のインピーダンスのバラつきや変動による分圧比の変化を防ぐため、オペアンプ等の高入力インピーダンスの素子を挿入してもよい。
【００３４】
電流測定回路５は、カレントトランス１６により２線の電流を測定する（ステップＳ１０２）。測定された電流は、負荷抵抗により電流に比例する電圧に変換され、当該電圧がＡ／Ｄ変換部６のアナログ入力に入力される。
【００３５】
なお、レベルを調整するため、オペアンプ等の増幅素子や、分圧素子を挿入してもよい。
【００３６】
次に、電圧測定回路４によりスケーリングされた電圧値、及び、電流測定回路５によりスケーリングされた電流値は、Ａ／Ｄ変換部６に入力され、当該Ａ／Ｄ変換部６は、当該電圧値及び当該電流値をディジタル値に変換する（ステップＳ１０３）。
【００３７】
次に、演算部７は、Ａ／Ｄ変換部６から得られる、電流計測結果と電圧計測結果とのディジタル値を用いて、相電圧、相電流、相電力、全電力等を計算し算出する（ステップＳ１０４）。演算部７で算出された電力等の計測データは、ディジタル信号でフォトカプラ８を介して絶縁され、通信ドライバ９へ出力される。
【００３８】
ここで、非絶縁電源供給回路３の電源出力が５Ｖ、演算部７が５Ｖ系ロジック回路、電源部１０の電源出力が５Ｖの場合を例に取り、信号の流れについて説明する。
単相三線式電源１４のＡＣ電圧１００Ｖは、電圧測定回路４において、Ａ／Ｄ変換部６のアナログ信号入力範囲内となるように、５Ｖ以下の信号に分圧される。Ａ／Ｄ変換部６に入力されたアナログ信号は、Ａ／Ｄ変換部６においてディジタル信号に変換されて、５Ｖ系ディジタル信号として演算部７に入力される。演算部７で演算された結果は、５Ｖ系ディジタル信号としてフォトカプラ８の１次側に入力される。フォトカプラ８の２次側の電源は、表示装置２が備える電源部１０から５Ｖが供給されているため、フォトカプラ８の出力は、５Ｖ系ディジタル信号で、通信ドライバ９に入力される。
【００３９】
なお、Ａ／Ｄ変換部６が正負のアナログ信号入力の場合、信号を直接入力することができるが、Ａ／Ｄ変換部６が正のアナログ信号入力のみに対応している場合、アナログ信号に、Ａ／Ｄアナログ信号入力範囲の半分の電圧のバイアスが印加される。
【００４０】
Ａ／Ｄ変換部６、及び、演算部７は、非絶縁電源供給回路３を電源として動作する。非絶縁電源供給回路３は、入力と出力とが絶縁されていないが、絶縁電源供給回路では、入力と出力とが絶縁されている。入力と出力とを絶縁させるための手法は、典型的には、トランスによって行われる。トランスを用いた絶縁電源供給回路は、大型及び高コストとなるため、当該絶縁電源供給回路を備える電力計測装置は、結果として、大型及び高コストとなる。
【００４１】
本発明に係る電力計測装置１では、非絶縁電源供給回路３は、Ａ／Ｄ変換部６、演算部７、及び、フォトカプラ８の１次側に接続されて、電力計測装置１の電源として機能する。また、表示装置２が備える電源部１０は、フォトカプラ８の２次側、及び、フォトカプラ８により絶縁された通信ドライバ９に接続される。フォトカプラ８は、その構造上、入力端と出力端とが電気的に絶縁されるため、通信ドライバ９を絶縁することができる。この結果、絶縁電源供給回路を用いずに、電力計測装置１を動作させることができるため、電力計測装置１を小型化及び低コスト化することができる。
【００４２】
次に、通信ドライバ９は、表示装置２が備える通信部１１を介して、電力計測装置１の計測データを送信する。表示装置２が備える制御部１２は、受信した計測データを表示部１３へ出力し、計測データを表示させる（ステップＳ１０５）。
【００４３】
なお、制御部１２は、単相三線式電源１４に接続された電気機器を制御する機能を備え、電力計測装置１の計測データにより、電気機器の動作を制御する機能を備えてもよい。また、制御部１２は、電力計測装置１の設定や制御を行う機能を備えてもよい。
【００４４】
以上の処理を繰り返すことにより、電力計測装置１が計測した電力値等の測定データが表示される。
【００４５】
以上のように、電力計測装置１を、絶縁電源供給回路を用いずに動作させることができるため、電力計測装置１を小型化及び低コスト化することができる。
【００４６】
また、電圧測定回路４において、電圧トランスの代わりに抵抗分圧回路を用いることで、電力計測装置１を小型化及び低コスト化することができる。電圧トランスを使用しないことで、電圧測定回路４の位相誤差が軽減し、電圧を高精度に計測することができる。
【００４７】
さらに、電力計測装置１が計測する負荷装置に依存せず電力を測定できるとともに、配電方式が異なる負荷装置にも容易に対応可能な構成とすることができる。
【００４８】
（実施形態２）
実施形態１では、電力計測装置１と表示装置２とが分離されて構成され、電力計測装置１が計測した計測データが、分離された表示装置２に表示されていた。本実施形態では、家電装置の電力を計測するために、電力計測装置が家電装置に組み込まれる場合について説明する。
【００４９】
（電力計測装置の構成）
まず、本実施形態の電力計測装置の各部の構成について、図面を参照して説明する。図３は、本実施形態に係る電力計測装置１ａの構成を示す図である。
【００５０】
同図に示すように、電力計測装置１ａは、非絶縁電源供給回路３、電圧測定回路４、電流測定回路５、Ａ／Ｄ変換部６、演算部７、フォトカプラ８等から構成される。また、家電装置１７は、電力計測装置１ａ、電源部１０、制御部１２、表示部１３等から構成される。フォトカプラ８、及び、電源部１０以外の構成については、実施形態１に係る電力計測装置１と同様であるため説明を省略する。
【００５１】
電力計測装置１ａは、三相三線式電源１８で駆動し、消費電力をモニタするために家電装置１７に組み込まれる。電力計測装置１ａのグランドは、三相三線式電源１８におけるＳ線１９へ接続される。三相三線式電源１８におけるＲ線またはＴ線は、電力計測装置１ａを動作させるための電源を作る非絶縁電源供給回路３へ接続される。
【００５２】
フォトカプラ８の出力は、コネクタ等のインターフェースを介して、家電装置１７が備える制御部１２に接続される。電力計測装置１ａが計測した計測データは、フォトカプラ８から出力されて、制御部１２に渡される。演算部７の出力は、フォトカプラ８により、家電装置１７と絶縁される。
【００５３】
電源部１０は、三相三線式電源１８におけるＳ線１９、Ｒ線、及び、Ｔ線に接続される。電源部１０は、制御部１２及び表示部１３へ電源を供給し、また、コネクタ等のインターフェースと電源線を介して、電力計測装置１ａへ接続され、フォトカプラ８の２次側へ電源を供給する。
【００５４】
なお、電力計測装置１ａが表示部１３を備えてもよく、また、家電装置１７を操作するためのリモコンが表示部１３を備えてもよい。
【００５５】
家電装置１７は、例えば、空調装置、ＩＨ（Induction Heating）クッキングヒータ、給湯器、冷蔵庫、太陽光発電機等、任意の装置である。電力計測装置１ａは、家電装置１７に組み込まれ、当該家電装置１７の消費電力等を計測する。
【００５６】
図４〜８は、電力計測装置１ａが空調機２０、ＩＨクッキングヒータ２１、給湯器２２、冷蔵庫２３、太陽光発電機２４に組み込まれた例を示す図である。電力計測装置１ａは、同図に示すように、空調機２０等の任意の家電装置に組み込まれる。電力計測装置１ａにより計測された計測データは、家電装置１７が備える制御部１２、リモコン、または、集中コントローラ等へ送信されて、計測結果が表示される。
【００５７】
本実施形態に係る電力計測装置１ａの動作については、通信ドライバ９や通信部１１を介さずに、計測データが送信されること以外は、実施形態１に係る電力計測装置１と同様であるため説明を省略する。
【００５８】
本発明に係る電力計測装置１ａでは、非絶縁電源供給回路３は、Ａ／Ｄ変換部６、演算部７、及び、フォトカプラ８の１次側に接続されて、電力計測装置１ａの電源として機能する。また、家電装置１７が備える電源部１０は、フォトカプラ８の２次側に接続される。フォトカプラ８は、その構造上、入力端と出力端とが電気的に絶縁されるため、電力計測装置１ａと家電装置１７とを絶縁することができる。
【００５９】
以上のように、絶縁電源供給回路を用いずに、電力計測装置１ａを動作させることができるため、電力計測装置１ａを小型化及び低コスト化することができる。
【００６０】
また、家電装置１７に電力計測装置１ａが組み込まれることで、家電装置１７の消費電力等の情報を得ることが可能となる。これにより、消費電力情報を元に家電装置１７を制御することができるため、家電装置１７を高機能化することができる。
【００６１】
また、家電装置１７本体に搭載されたインターフェース、または、家電装置１７を操作するリモコンのインターフェースへ電力情報を表示させることも可能となり、ユーザーへリアルタイムで電気料金の通知をしたり、ユーザーの省エネ意識を喚起させたりすることができる。
【００６２】
また、電力情報から家電装置１７の異常を検知し、動作を停止させる等の制御を行ったり、家電装置１７の異常をユーザーへ通知したりすることができる。
【００６３】
なお、本発明は上記実施の形態に限定されず、種々の変形及び応用が可能である。
【００６４】
電力計測装置１は、単相三線式電源１４の電力測定を行うものとしたが、三相四線式、三相三線式及び単相二線式電源の電力測定を行う場合も同様の効果を得ることができる。
また、電力計測装置１ａは、三相三線式電源１８で駆動される装置としたが、三相四線式、単相三線式及び単相二線式電源で駆動される装置についても同様の効果を得ることができる。
【００６５】
また、電力計測装置１、１ａにおける、電圧測定回路４の抵抗分圧比と、演算部７における演算方法とを変更することにより、方式が異なる電源に容易に対応することができる。
【００６６】
また、抵抗分圧比と演算方法を適切に選択することで、複数の電源方式に対応した電力計測装置も容易に構成することができる。
【００６７】
また、電力計測装置１、１ａにおいて、通信ドライバ９や制御部１２等との絶縁手段をフォトカプラ８としたが、絶縁手段をトランスや容量性素子とした場合も同様の効果を得ることができるが、小型、安価であることからフォトカプラ８の使用が望ましい。
【００６８】
また、電力計測装置１、１ａの電流測定手段をカレントトランス１６としたが、電流測定手段にシャント抵抗、磁界センサ等の素子を使用しても同様の効果を得ることができる。
【産業上の利用可能性】
【００６９】
この発明は、電気機器等の消費電力を計測することに用いることができる。
【符号の説明】
【００７０】
１、１ａ  電力計測装置
２  表示装置
３  非絶縁電源供給回路
４  電圧測定回路
５  電流測定回路
６  Ａ／Ｄ変換部
７  演算部
８  フォトカプラ
９  通信ドライバ
１０  電源部
１１  通信部
１２  制御部
１３  表示部
１４  単相三線式電源
１５  中性線
１６  カレントトランス
１７  家電装置
１８  三相三線式電源
１９  Ｓ線
２０  空調機
２１  ＩＨクッキングヒータ
２２  給湯器
２３  冷蔵庫
２４  太陽光発電機
【図１】
2011089915.tif 000003
【図２】
2011089915.tif 000004
【図３】
2011089915.tif 000005
【図４】
2011089915.tif 000006
【図５】
2011089915.tif 000007
【図６】
2011089915.tif 000008
【図７】
2011089915.tif 000009
【図８】
2011089915.tif 000010